(57)【要約】【課題】主画像を含む対象画像と地図画像とを合成し、合成画像のうち主画像を含む所定領域を、所定の大きさの基準矩形内に主画像ができるだけ大きく現れるように表示することが可能となる表示用画像生成装置を提供する。【解決手段】領域設定部は、第１ＸＹ座標系のＸ軸に平行な２辺とＹ軸に平行な２辺とを有しかつ主画像４１に外接する外接矩形４３のＸ方向長に対するＸ方向基準長の比である第１の比が、外接矩形４３のＹ方向長に対するＹ方向基準長の比である第２の比よりも小さい場合には、対象画像４０のうち外接矩形４３に囲まれた矩形画像４４のＹ方向端に第１ダミー領域４５を追加し、矩形画像４４と第１ダミー領域４５とからなる領域を表示対象領域４７として設定する。【選択図】図７
2019207375.tif 000002
【特許請求の範囲】
【請求項１】
解析対象領域内の小領域毎の解析結果を表す主画像および透明背景画像を含み、座標軸と方角とが所定の関係を有する第１ＸＹ座標系の対象画像に対して、前記主画像を含む表示対象領域を設定する領域設定部と、
座標軸と方角とが前記所定の関係を有する第２ＸＹ座標系の地図画像と、前記表示対象領域とを合成して合成画像を生成する合成部と、
前記合成画像における所定領域を、前記第１ＸＹ座標系のＸ軸に平行な２辺とＹ軸に平行な２辺とを有し、Ｘ方向長およびＹ方向長がそれぞれ所定のＸ方向基準長Ｅおよび所定のＹ方向基準長Ｆである基準矩形の大きさの表示用画像に変換する変換部とを含み、
前記領域設定部は、
前記第１ＸＹ座標系のＸ軸に平行な２辺とＹ軸に平行な２辺とを有しかつ前記主画像に外接する外接矩形のＸ方向長Ａに対する前記Ｘ方向基準長Ｅの比である第１の比が、前記外接矩形のＹ方向長Ｂに対する前記Ｙ方向基準長Ｆの比である第２の比よりも小さい場合には、前記対象画像のうち前記外接矩形に囲まれた矩形画像のＹ方向端に第１ダミー領域を追加し、前記矩形画像と前記第１ダミー領域とからなる領域を前記表示対象領域として設定し、
前記第１の比が前記第２の比よりも大きい場合には、前記矩形画像のＸ方向端に第２ダミー領域を追加し、前記矩形画像と前記第２ダミー領域とからなる領域を前記表示対象領域として設定するように構成されており、
前記合成部は、前記表示対象領域の一組の対頂点各々と、前記地図画像における前記対頂点各々に対応する位置とに基づいて、前記表示対象領域を前記地図画像に貼り付けるように構成されており、
前記変換部は、前記合成画像における前記表示対象領域が貼り付けられている貼付領域を拡大縮小することにより、前記表示用画像を生成するように構成されている、表示用画像生成装置。
【請求項２】
解析対象領域内の小領域毎の解析結果を表す主画像および透明背景画像を含み、座標軸と方角とが所定の関係を有する第１ＸＹ座標系の対象画像と、座標軸と方角とが前記所定の関係を有する第２ＸＹ座標系の地図画像とを合成して合成画像を生成する合成部と、
前記合成画像のうちの所定領域を、前記第１ＸＹ座標系のＸ軸に平行な２辺とＹ軸に平行な２辺とを有し、Ｘ方向長およびＹ方向長がそれぞれ所定のＸ方向基準長Ｅおよび所定のＹ方向基準長Ｆである基準矩形の大きさの表示用画像に変換する変換部とを含み、
前記合成部は、前記第１ＸＹ座標系のＸ軸に平行な２辺とＹ軸に平行な２辺とを有しかつ前記主画像に外接する外接矩形の一組の対頂点各々と、前記地図画像における前記対頂点各々に対応する位置とに基づいて、前記対象画像のうち前記外接矩形に囲まれた矩形画像を前記地図画像に貼り付けるように構成されており、
前記変換部は、
前記外接矩形のＸ方向長さＡに対する前記Ｘ方向基準長Ｅの比である第１の比が、前記外接矩形のＹ方向長Ｂに対する前記Ｙ方向基準長Ｆの比である第２の比よりも小さい場合には、前記合成画像における前記矩形画像の貼付領域のＹ方向端に第１ダミー領域を追加し、前記第１ダミー領域追加後の当該貼付領域を拡大縮小することにより、前記表示用画像を生成し、
前記第１の比が前記第２の比よりも大きい場合には、前記貼付領域のＸ方向端に第２ダミー領域を追加し、前記第２ダミー領域追加後の当該貼付領域を拡大縮小することにより、前記表示用画像を生成するように構成されている、表示用画像生成装置。
【請求項３】
解析対象領域内の小領域毎の解析結果を表す主画像および背景画像を含み、座標軸と方角とが所定の関係を有するＸＹ座標系の対象画像を、前記ＸＹ座標系のＸ軸に平行な２辺とＹ軸に平行な２辺とを有し、Ｘ方向長さが所定の基準Ｘ方向長さＥであり、Ｙ方向長さが所定の基準Ｙ方向長さＦである基準矩形の大きさの画像に変換するための画像処理装置であって、
前記ＸＹ座標系のＸ軸に平行な２辺とＹ軸に平行な２辺とを有しかつ前記主画像に外接する外接矩形のＸ方向長さＡに対する前記Ｘ方向基準長Ｅの比である第１の比と、前記外接矩形のＹ方向長Ｂに対する前記Ｙ方向基準長Ｆの比である第２の比とを比較する比較部と、
前記第１の比が前記第２の比よりも小さい場合には、前記対象画像のうち前記外接矩形に囲まれた矩形画像のＹ向端に第１ダミー領域を追加し、前記第１ダミー領域追加後の前記矩形画像を拡大縮小することにより、前記基準矩形の大きさの表示用画像を生成し、前記第１の比が前記第２の比よりも大きい場合には、前記矩形画像のＸ方向端に第２ダミー領域を追加し、前記第２ダミー領域追加後の前記矩形画像を拡大縮小することにより、前記基準矩形の大きさの表示用画像を生成する画像生成部とを含む、表示用画像生成装置。
【請求項４】
前記第１ダミー領域は、前記矩形画像のＹ方向の両端部にそれぞれ追加され、前記各第１ダミー領域のＹ方向長さＤは、次式（ａ）で表される、請求項１または３に記載の表示用画像生成装置。
Ｄ＝１／２・｛（Ａ・Ｆ／Ｅ）−Ｂ｝  …（ａ）
【請求項５】
前記第２ダミー領域は、前記矩形領域のＸ方向の両端部にそれぞれ追加され、前記各第２ダミー領域のＸ方向長さＣは、次式（ｂ）で表される、請求項１または３に記載の表示用画像生成装置。
Ｃ＝１／２・｛（Ｂ・Ｅ／Ｆ）−Ａ｝    …（ｂ）
【請求項６】
前記合成部は、前記外接矩形の一組の対頂点各々と、前記地図画像における前記対頂点各々に対応する位置とが合致するように、前記地図画像を拡大縮小させた後に、前記矩形画像を前記地図画像に貼り付けるように構成されており、
前記第１ダミー領域は、前記貼付領域のＹ方向の両端部にそれぞれ追加され、前記各第１ダミー領域のＹ方向長さＤは、次式（ａ）で表される、請求項２に記載の表示用画像生成装置。
Ｄ＝１／２・｛（Ａ・Ｆ／Ｅ）−Ｂ｝  …（ａ）
【請求項７】
前記合成部は、前記外接矩形の一組の対頂点各々と、前記地図画像における前記対頂点各々に対応する位置とが合致するように、前記地図画像を拡大縮小させた後に、前記矩形画像を前記地図画像に貼り付けるように構成されており、
前記第２ダミー領域は、前記貼付領域のＸ方向の両端部にそれぞれ追加され、前記各第２ダミー領域のＸ方向長さＣは、次式（ｂ）で表される、請求項２に記載の表示用画像生成装置。
Ｃ＝１／２・｛（Ｂ・Ｅ／Ｆ）−Ａ｝    …（ｂ）
【請求項８】
前記第１の比がＢ／Ａであり、前記第２の比がＦ／Ｅである、請求項１〜３のいずれか一項に記載の表示用画像生成装置。
【発明の詳細な説明】
【技術分野】
【０００１】
この発明は、表示用画像生成装置に関する。
【背景技術】
【０００２】
特許文献１には、地図上に表記されている道路や建物などが日々変化していることに対応するため、地図をリアルタイムで更新するための技術が開示されている。具体的には、特許文献１には、既存の地図データを基準画像とし、人口衛星等による撮像画像であって基準画像とは座標系が異なる画像を対象画像とし、それらの画像を統一座標系上に位置を合わせて重ね合わせる技術が開示されている。
【先行技術文献】
【特許文献】
【０００３】
【特許文献１】特開２０１７−１０２９２４号公報
【発明の概要】
【発明が解決しようとする課題】
【０００４】
この発明の目的は、主画像を含む対象画像と地図画像とを合成し、合成画像のうち主画像を含む所定領域を、所定の大きさの基準矩形内に主画像ができるだけ大きく現れるように表示することが可能となる表示用画像生成装置を提供することである。
この発明の目的は、主画像と背景画像とを含む対象画像のうち主画像を含む所定領域を、所定の大きさの基準矩形内に主画像ができるだけ大きく現れるように表示することが可能となる表示用画像生成装置を提供することである。
【課題を解決するための手段】
【０００５】
この発明による第１の表示用画像生成装置は、解析対象領域内の小領域毎の解析結果を表す主画像および透明背景画像を含み、座標軸と方角とが所定の関係を有する第１ＸＹ座標系の対象画像に対して、前記主画像を含む表示対象領域を設定する領域設定部と、座標軸と方角とが前記所定の関係を有する第２ＸＹ座標系の地図画像と、前記表示対象領域とを合成して合成画像を生成する合成部と、前記合成画像における所定領域を、前記第１ＸＹ座標系のＸ軸に平行な２辺とＹ軸に平行な２辺とを有し、Ｘ方向長およびＹ方向長がそれぞれ所定のＸ方向基準長Ｅおよび所定のＹ方向基準長Ｆである基準矩形の大きさの表示用画像に変換する変換部とを含む。
【０００６】
前記領域設定部は、前記第１ＸＹ座標系のＸ軸に平行な２辺とＹ軸に平行な２辺とを有しかつ前記主画像に外接する外接矩形のＸ方向長Ａに対する前記Ｘ方向基準長Ｅの比である第１の比が、前記外接矩形のＹ方向長Ｂに対する前記Ｙ方向基準長Ｆの比である第２の比よりも小さい場合には、前記対象画像のうち前記外接矩形に囲まれた矩形画像のＹ方向端に第１ダミー領域を追加し、前記矩形画像と前記第１ダミー領域とからなる領域を前記表示対象領域として設定し、前記第１の比が前記第２の比よりも大きい場合には、前記矩形画像のＸ方向端に第２ダミー領域を追加し、前記矩形画像と前記第２ダミー領域とからなる領域を前記表示対象領域として設定するように構成されている。
【０００７】
前記合成部は、前記表示対象領域の一組の対頂点各々と、前記地図画像における前記対頂点各々に対応する位置とに基づいて、前記表示対象領域を前記地図画像に貼り付けるように構成されている。
前記変換部は、前記合成画像における前記表示対象領域が貼り付けられている貼付領域を拡大縮小することにより、前記表示用画像を生成するように構成されている。
【０００８】
この構成によれば、主画像を含む対象画像と地図画像とを合成し、合成画像のうち主画像を含む所定領域を、所定の大きさの基準矩形内に主画像ができるだけ大きく現れるように表示することが可能となる。さらに、この構成によれば、表示用画像のうち、主画像以外の全領域に地図画像を表示することが可能となる。
この発明による第２の表示用画像生成装置は、解析対象領域内の小領域毎の解析結果を表す主画像および透明背景画像を含み、座標軸と方角とが所定の関係を有する第１ＸＹ座標系の対象画像と、座標軸と方角とが前記所定の関係を有する第２ＸＹ座標系の地図画像とを合成して合成画像を生成する合成部と、前記合成画像のうちの所定領域を、前記第１ＸＹ座標系のＸ軸に平行な２辺とＹ軸に平行な２辺とを有し、Ｘ方向長およびＹ方向長がそれぞれ所定のＸ方向基準長Ｅおよび所定のＹ方向基準長Ｆである基準矩形の大きさの表示用画像に変換する変換部とを含む。
【０００９】
前記合成部は、前記第１ＸＹ座標系のＸ軸に平行な２辺とＹ軸に平行な２辺とを有しかつ前記主画像に外接する外接矩形の一組の対頂点各々と、前記地図画像における前記対頂点各々に対応する位置とに基づいて、前記対象画像のうち前記外接矩形に囲まれた矩形画像を前記地図画像に貼り付けるように構成されている。
前記変換部は、前記外接矩形のＸ方向長さＡに対する前記Ｘ方向基準長Ｅの比である第１の比が、前記外接矩形のＹ方向長Ｂに対する前記Ｙ方向基準長Ｆの比である第２の比よりも小さい場合には、前記合成画像における前記矩形画像の貼付領域のＹ方向端に第１ダミー領域を追加し、前記第１ダミー領域追加後の当該貼付領域を拡大縮小することにより、前記表示用画像を生成し、前記第１の比が前記第２の比よりも大きい場合には、前記貼付領域のＸ方向端に第２ダミー領域を追加し、前記第２ダミー領域追加後の当該貼付領域を拡大縮小することにより、前記表示用画像を生成するように構成されている。
【００１０】
この構成によれば、主画像を含む対象画像と地図画像とを合成し、合成画像のうち主画像を含む所定領域を、所定の大きさの基準矩形内に主画像ができるだけ大きく現れるように表示することが可能となる。さらに、この構成によれば、表示用画像のうち、主画像以外の全領域に地図画像を表示することが可能となる。
この発明による第３の表示用画像生成装置は、解析対象領域内の小領域毎の解析結果を表す主画像および背景画像を含み、座標軸と方角とが所定の関係を有するＸＹ座標系の対象画像を、前記ＸＹ座標系のＸ軸に平行な２辺とＹ軸に平行な２辺とを有し、Ｘ方向長さが所定の基準Ｘ方向長さＥであり、Ｙ方向長さが所定の基準Ｙ方向長さＦである基準矩形の大きさの画像に変換するための画像処理装置であって、前記ＸＹ座標系のＸ軸に平行な２辺とＹ軸に平行な２辺とを有しかつ前記主画像に外接する外接矩形のＸ方向長さＡに対する前記Ｘ方向基準長Ｅの比である第１の比と、前記外接矩形のＹ方向長Ｂに対する前記Ｙ方向基準長Ｆの比である第２の比とを比較する比較部と、前記第１の比が前記第２の比よりも小さい場合には、前記対象画像のうち前記外接矩形に囲まれた矩形画像のＹ向端に第１ダミー領域を追加し、前記第１ダミー領域追加後の前記矩形画像を拡大縮小することにより、前記基準矩形の大きさの表示用画像を生成し、前記第１の比が前記第２の比よりも大きい場合には、前記矩形画像のＸ方向端に第２ダミー領域を追加し、前記第２ダミー領域追加後の前記矩形画像を拡大縮小することにより、前記基準矩形の大きさの表示用画像を生成する画像生成部とを含む。
【００１１】
この構成によれば、主画像と背景画像とを含む対象画像のうち主画像を含む所定領域を、所定の大きさの基準矩形内に主画像ができるだけ大きく現れるように表示することが可能となる。
前記第１または第３の表示用画像生成装置の一実施形態では、前記第１ダミー領域は、前記矩形画像のＹ方向の両端部にそれぞれ追加され、前記各第１ダミー領域のＹ方向長さＤは、次式（ａ）で表される。
Ｄ＝１／２・｛（Ａ・Ｆ／Ｅ）−Ｂ｝  …（ａ）
前記第１または第３の表示用画像生成装置の一実施形態では、前記第２ダミー領域は、前記矩形領域のＸ方向の両端部にそれぞれ追加され、前記各第２ダミー領域のＸ方向長さＣは、次式（ｂ）で表される。
Ｃ＝１／２・｛（Ｂ・Ｅ／Ｆ）−Ａ｝    …（ｂ）
【００１２】
前記第２の表示用画像生成装置の一実施形態では、前記合成部は、前記外接矩形の一組の対頂点各々と、前記地図画像における前記対頂点各々に対応する位置とが合致するように、前記地図画像を拡大縮小させた後に、前記矩形画像を前記地図画像に貼り付けるように構成されており、前記第１ダミー領域は、前記貼付領域のＹ方向の両端部にそれぞれ追加され、前記各第１ダミー領域のＹ方向長さＤは、次式（ａ）で表される。
Ｄ＝１／２・｛（Ａ・Ｆ／Ｅ）−Ｂ｝  …（ａ）
【００１３】
前記第２の表示用画像生成装置の一実施形態では、前記合成部は、前記外接矩形の一組の対頂点各々と、前記地図画像における前記対頂点各々に対応する位置とが合致するように、前記地図画像を拡大縮小させた後に、前記矩形画像を前記地図画像に貼り付けるように構成されており、前記第２ダミー領域は、前記貼付領域のＸ方向の両端部にそれぞれ追加され、前記各第２ダミー領域のＸ方向長さＣは、次式（ｂ）で表される。
Ｃ＝１／２・｛（Ｂ・Ｅ／Ｆ）−Ａ｝    …（ｂ）
前記第１、第２または第３の表示用画像生成装置の一実施形態では、前記第１の比がＢ／Ａであり、前記第２の比がＦ／Ｅである。
【図面の簡単な説明】
【００１４】
【図１】図１は、この発明の第１実施形態に係る表示用画像生成装置の構成を示す模式図である。
【図２】図２は、所定の圃場を示す模式図である。
【図３】図３は、対象画像の一例を示す模式図である
【図４】地図画像の一例を示す模式図である。
【図５】図５は、ＰＣの機能を説明するための機能ブロック図である。
【図６】図６は、表示用画像生成プログラムが起動されたときに、ＰＣによって実行される表示用画像生成処理の手順を示すフローチャートである。
【図７】図７は、第１実施形態の領域設定部および第３実施形態の画像生成部の動作を説明するための模式図である。
【図８】図８は、第１実施形態の領域設定部および第３実施形態の画像生成部の動作を説明するための模式図である。
【図９】図９は、第１実施形態の領域設定部および第３実施形態の画像生成部の動作を説明するための模式図である。
【図１０】図１０は、拡大縮小後の地図画像に表示対象領域が貼り付けられた状態を示す模式図である。
【図１１】図１１は、ＰＣの機能を説明するための機能ブロック図である。
【図１２】図１２は、表示用画像生成プログラムが起動されたときに、ＰＣによって実行される表示用画像生成処理の手順を示すフローチャートである。
【図１３】図１３は、合成部の動作を説明するための模式図である。
【図１４】図１４は、拡大縮小後の地図画像に矩形画像が貼り付けられた状態を示す模式図である。
【図１５】図１５は、ＰＣの機能を説明するための機能ブロック図である。
【図１６】図１６は、表示用画像生成プログラムが起動されたときに、ＰＣによって実行される表示用画像生成処理の手順を示すフローチャートである。
【発明を実施するための形態】
【００１５】
以下では、この発明の実施形態を、添付図面を参照して詳細に説明する。
図１は、この発明の第１実施形態に係る表示用画像生成装置１の構成を示す模式図である。
第１実施形態に係る表示用画像生成装置１は、主画像を含む対象画像と地図画像とを合成し、合成画像のうち主画像を含む所定領域を、基準矩形の大きさの画像に変換することにより、表示用画像（表示用画像データ）を生成する。まず、対象画像と地図画像について説明する。
【００１６】
この実施形態では、対象画像は、解析対象領域内の小領域（メッシュ）毎の解析結果に基づいて生成される。より具体的には、対象画像は、解析対象領域である圃場に対する正規化差植生指数（NDVI : Normalized Difference Vegetation Index）の分布データに基づいて生成される。以下において、正規化差植生指数をＮＤＶＩという場合がある。ＮＤＶＩについて説明する。植物の緑葉は赤色等の可視光を吸収し、近赤外領域の波長の光を強く反射する。ＮＤＶＩは、このような緑葉の性質を利用した指数であって、植生の有無や活性度を表す指数である。ＮＤＶＩは、次式（１）で定義される。
ＮＤＶＩ＝（ＩＲ−Ｒ）／（ＩＲ＋Ｒ）  …（１）
ＩＲ：近赤外光の観測値
Ｒ：可視光の観測値
ＮＤＶＩは、例えば、０．０１〜１．００の値をとるように正規化されており、この値に応じて色を対応付けることで、ＮＤＶＩ画像を生成することができる。
【００１７】
所定の圃場に対するＮＤＶＩの分布データは、例えば、次のようにして作成される。すなわち、マルチスペクトルカメラが搭載された飛行体を、圃場の上空に飛行させながら、マルチスペクトルカメラで圃場を撮影する。マルチスペクトルカメラは、例えば、可視赤色光と近赤外光の画像を撮影できるカメラである。飛行体は、例えば、ドローン（無人航空機）である。そして、得られた撮影画像に基づいて、圃場内の小領域毎のＮＤＶＩを演算する。これにより、ＮＤＶＩの分布データが得られる。
【００１８】
図２は、所定の圃場を示す模式図である。図２において、上方向が北を示し、下方向が南を示している。図２の例では、圃場Ｑの形状は矩形であるが、圃場Ｑの形状は矩形以外の任意の形状であってもよい。圃場Ｑは、南北方向に平行な複数の仮想線と、東西方向に平行な複数の仮想線とによって、複数の小領域（メッシュ）ｑに分割されている。ＮＤＶＩの分布データは、圃場Ｑ内の小領域ｑ毎の位置情報に対するＮＤＶＩから構成されている。位置情報は、例えば、緯度経度情報と高度情報とからなる。ＮＤＶＩの分布データは、例えば、Geo TIFF形式のGeo TIFFファイルとして提供される。
【００１９】
圃場Ｑに対するＮＤＶＩの分布データを記録したGeo TIFFファイルから、圃場Ｑ内の各小領域ｑに対するＮＤＶＩ（解析結果）を表す主画像と透明背景画像とを含む対象画像（対象画像データ）を生成することができる。このような対象画像データは、例えば、PNG形式のPNGファイルとして生成される。
図３は、対象画像の一例を示す模式図である。
【００２０】
対象画像４０は、座標軸と方角とが所定の関係を有する第１ＸＹ座標系の画像である。具体的には、第１ＸＹ座標系は、所定位置を原点とし、原点を通りかつ東西方向に延びる直線をＸ軸とし、原点を通りかつ南北方向に延びる直線をＹ軸とする平面座標系である。Ｙ軸の正方向が北とされ、Ｘ軸の正方向が東とされているものとする。対象画像４０は、第１ＸＹ座標のＸ軸に平行な２辺とＹ軸に平行な２辺を有する矩形画像である。
【００２１】
対象画像４０は、主画像４１と、主画像４１以外の透明背景画像４２とを含む。主画像４１は、圃場Ｑ内の各小領域ｑに対する解析結果（この例ではＮＤＶＩ）を表す画像データから構成されている。
図３において、二点鎖線６０は、基準矩形を示している。基準矩形６０は、第１ＸＹ座標系のＸ軸に平行な２辺とＹ軸に平行な２辺とを有する矩形である。基準矩形６０のＸ方向長およびＹ方向長は、第１ＸＹ座標系において、それぞれ所定のＸ方向基準長ＥおよびＹ方向基準長Ｆに設定されている。
【００２２】
図４は、地図画像の一例を示す模式図である。図４には、地図画像の一部のみが表示されている。
地図画像５０は、この実施形態では、衛星画像である。地図画像は、航空写真画像であってもよい。地図画像５０は、座標軸と方角とが第１ＸＹ座標と同じ関係を有する第２ＸＹ座標系の画像である。具体的には、第２ＸＹ座標系は、第１ＸＹ座標系の原点を原点とし、原点を通りかつ東西方向に延びる直線をＸ軸とし、原点を通りかつ南北方向に延びる直線をＹ軸とする平面座標系である。Ｙ軸の正方向が北とされ、Ｘ軸の正方向が東とされているものとする。図４の地図画像５０には、図２の圃場Ｑを含む複数の圃場が含まれている。
【００２３】
図１に戻り、表示用画像生成装置１は、パーソナルコンピュータ（ＰＣ）２によって実現される。ＰＣ２には、ディスプレイ３、マウス４およびキーボード５が接続されている。ＰＣ２は、ＣＰＵ６、メモリ７、ハードディスク８等を含む。また、ＰＣ２には、図示しないが、ＵＳＢ（Universal Serial Bus）ポートが設けられている。
ハードディスク８には、ＯＳ（オペレーションシステム）等の他、対象画像と地図画像とに基づいて表示用画像を生成するための表示用画像生成プログラムが格納されている。表示用画像生成プログラムは、例えば、表示用画像生成プログラムが格納されたＵＳＢメモリ等の記憶媒体から取得したり、表示用画像生成プログラムを提供しているウェブサイトからインターネット経由で取得したりすることが可能である。
【００２４】
また、ハードディスク８には、図３に示される対象画像４０の画像データ（対象画像データ）および図４に示される地図画像５０の画像データ（地図画像データ）が記憶されているものとする。
以下、ハードディスク８に格納された対象画像データおよび地図画像データに基づいて、表示用画像を生成する場合のＰＣ２の動作について、説明する。
【００２５】
図５は、ＰＣ２の機能を説明するための機能ブロック図である。
ＰＣ２は、表示用画像生成プログラムを実行することによって、複数の機能処理部として機能する。この機能処理部には、領域設定部１１と、合成部１２と、変換部１３とが含まれる。
領域設定部１１は、ハードディスク８内の対象画像データに対応する第１ＸＹ座標系の対象画像４０（図３参照）に対して、主画像４１を含む表示対象領域を設定する。
【００２６】
合成部１２は、ハードディスク８内の地図画像データに対応する第２ＸＹ座標系の地図画像５０（図４参照）と、領域設定部１１によって設定された表示対象領域とを合成して合成画像を生成する。
変換部１３は、合成画像における所定領域を、第１ＸＹ座標系のＸ軸に平行な２辺とＹ軸に平行な２辺とを有し、Ｘ方向長およびＹ方向長がそれぞれ所定のＸ方向基準長Ｅおよび所定のＹ方向基準長Ｆである基準矩形６０（図３参照）の大きさの画像に変換する。
【００２７】
以下、領域設定部１１、合成部１２および変換部１３の動作の詳細について説明する。
図６は、表示用画像生成プログラムが起動されたときに、ＰＣ２によって実行される処理の手順を示すフローチャートである。
表示用画像生成プログラムが起動されると、領域設定部１１は、図７に示すように、第１ＸＹ座標系のＸ軸に平行な２辺とＹ軸に平行な２辺とを有しかつ主画像４１に外接する外接矩形４３のＸ方向長ＡおよびＹ方向長Ｂを取得する（ステップＳ１）。
【００２８】
第１ＸＹ座標系において、主画像４１におけるＸ座標最小値、Ｘ座標最大値、Ｙ座標最小値およびＹ座標最大値を、それぞれｘmin、ｘmax、ｙminおよびｙmaxとすると、外接矩形４３は、点ａ（ｘmin，ｙmin）と、点ｂ（ｘmin，ｙmax）と、点ｃ（ｘmax，ｙmax ）と、点ｄ（ｘmax，ｙmin）とを頂点とする矩形となる。したがって、外接矩形のＸ方向長ＡおよびＢは、次式（２），（３）に基づいて求められる。
Ａ＝｜ｘmax−ｘmin｜  …（２）
Ｂ＝｜ｙmax−ｙmin｜  …（３）
図７において、二点鎖線６０は、基準矩形を示している。
【００２９】
次に、領域設定部１１は、外接矩形４３のＸ方向長Ａに対する基準矩形６０のＸ方向基準長Ｅの比（以下、第１の比Ｅ／Ａという）と、外接矩形４３のＹ方向長Ｂに対する基準矩形６０のＹ方向基準長Ｆの比（以下、第２の比Ｆ／Ｂという）とを比較する（ステップＳ２）。なお、第１の比Ｅ／ＡとしてＢ／Ａを用いかつ第２の比としてＦ／Ｅを用いてもよい。
【００３０】
第１の比Ｅ／Ａが第２の比Ｆ／Ｂよりも小さい場合には、領域設定部１１は、図７に示すように、対象画像４０のうち外接矩形４３に囲まれた矩形画像４４のＹ方向の両端に第１ダミー領域４５をそれぞれ追加し、矩形画像４４と両第１ダミー領域４５とからなる領域を表示対象領域４７として設定する（ステップＳ３）。
各第１ダミー領域４５は、矩形画像４４のＹ方向両端の端辺全体からＹ方向外方に向かってＹ方向長Ｄだけ突出した矩形である。各第１ダミー領域４５のＹ方向長Ｄは、次式（４）で表される。
Ｄ＝１／２・｛（Ａ・Ｆ／Ｅ）−Ｂ｝      …（４）
【００３１】
前記ステップＳ２において、第１の比Ｅ／Ａが第２の比Ｆ／Ｂよりも大きいと判別された場合には、領域設定部１１は、対象画像４０のうち外接矩形４３に囲まれた矩形画像４４のＸ方向の両端に第２ダミー領域をそれぞれ追加し、矩形画像４４と両第２ダミー領域とからなる領域を表示対象領域４７として設定する（ステップＳ４）。
【００３２】
例えば、対象画像４０が図８に示すような画像である場合には、第１の比Ｅ／Ａが第２の比Ｆ／Ｂよりも大きいと判別される。このような場合には、各第２ダミー領域は、図８に４６で示される領域となる。つまり、各第２ダミー領域４６は、矩形画像４４のＸ方向両端の端辺全体からＸ方向外方に向かってＸ方向長Ｃだけ突出した矩形である。
各第２ダミー領域４６のＸ方向長Ｃは、次式（５）で表される。
Ｃ＝１／２・｛（Ｂ・Ｅ／Ｆ）−Ａ｝      …（５）
【００３３】
前記ステップＳ２において、第１の比Ｅ／Ａが第２の比Ｆ／Ｂと等しいと判別された場合には、領域設定部１１は、対象画像４０のうち外接矩形４３に囲まれた矩形画像４４を、表示対象領域４７として設定する（ステップＳ５）。
例えば、対象画像４０が図９に示すような画像である場合には、第１の比Ｅ／Ａが第２の比Ｆ／Ｂと等しい判別される。このような場合には、矩形画像４４が表示対象領域４７として設定される。
【００３４】
ステップＳ３、Ｓ４またはＳ５の処理が終了すると、合成部１２は、表示対象領域４７と地図画像５０とを合成する（ステップＳ６）。この実施形態では、合成部１２は、表示対象領域４７の一組の対頂点ａ，ｃ（またはｂ，ｄ）の各々と、地図画像５０における対頂点ａ，ｃ（またはｂ，ｄ）の各々に対応する位置とが一致するように、地図画像５０を拡大縮小させた後に、表示対象領域４７を地図画像５０に貼り付ける。
【００３５】
図１０は、拡大縮小後の地図画像５０に表示対象領域４７が貼り付けられた状態を示す模式図である。図１０において、二点鎖線で囲まれた領域が、表示対象領域４７が貼り付けられた貼付領域７０である。貼付領域７０内の主画像４１に対応する領域７１には主画像４１が現れ、貼付領域７０内の領域７１以外の領域（背景画像４２に対応する領域７２および第１ダミー領域に対応する領域７３）の領域には地図画像が現れる。
【００３６】
次に、変換部１３は、貼付領域７０を拡大縮小することにより、第１ＸＹ座標系での基準矩形６０の大きさの表示用画像を生成する（ステップＳ７）。
具体的には、ステップＳ３の処理によって表示対象領域４７が設定されている場合には、変換部１３は、貼付領域７０の縦横をＥ／Ａ倍することによって、貼付領域７０を基準矩形６０の大きさの表示用画像に変換する。変換後の貼付領域内の主画像４１に対応する領域を、図７に一点鎖線８１で示す。なお、表示用画像全体の輪郭は、基準矩形６０の輪郭と同じである。表示用画像内の主画像４１の領域８１以外の領域には、地図画像が表示される。
【００３７】
ステップＳ４の処理によって表示対象領域４７が設定されている場合には、変換部３３は、貼付領域の縦横をＦ／Ｂ倍することによって、貼付領域を基準矩形６０の大きさの画像に変換する。変換後の貼付領域内の主画像４１に対応する領域を、図８に一点鎖線８１で示す。なお、表示用画像全体の輪郭は、基準矩形６０の輪郭と同じである。表示用画像内の主画像４１の領域８１以外の領域には、地図画像が表示される。
【００３８】
また、ステップＳ５の処理によって表示対象領域４７が設定されている場合には、変換部１３は、貼付領域の縦横をＥ／Ａ倍（またはＦ／Ｂ倍）することによって、貼付領域を基準矩形６０の大きさの表示用画像に変換する。変換後の貼付領域内の主画像４１に対応する領域を、図９に一点鎖線８１で示す。なお、表示用画像全体の輪郭は、基準矩形６０の輪郭と同じである。表示用画像内の主画像４１の領域８１以外の領域には、地図画像が表示される。
【００３９】
ステップＳ７の処理が終了すると、変換部１３は、生成された表示用画像の画像データを、対象画像４０に対する表示用画像データとしてハードディスク８に記憶する（ステップＳ８）。これにより、対象画像４０に対応する表示用画像をディスプレイに表示したり、記録紙に印刷したりすることが可能となる。
前述の第１実施形態によれば、主画像４１を含む対象画像４０と地図画像５０とを合成し、合成画像のうち主画像４１を含む所定領域を、所定の大きさの基準矩形６０内に主画像４１ができるだけ大きく現れるように表示することが可能となる。さらに、前述の第１実施形態によれば、表示用画像のうち、主画像４１以外の全領域に地図画像５０を表示することが可能となる。
【００４０】
前述の第１実施形態のステップＳ３では、領域設定部１１は、対象画像４０のうち外接矩形４３に囲まれた矩形画像４４のＹ方向の両端に第１ダミー領域４５をそれぞれ追加している。しかし、領域設定部１１は、対象画像４０のうち外接矩形４３に囲まれた矩形画像４４のＹ方向の一方端のみに第１ダミー領域４５を追加してもよい。この場合、第１ダミー領域４５のＹ方向長Ｄは、次式（６）で表される。
Ｄ＝｛（Ａ・Ｆ／Ｅ）−Ｂ｝      ……（６）
【００４１】
また、前述の第１実施形態のステップＳ４では、領域設定部１１は、対象画像４０のうち外接矩形４３に囲まれた矩形画像４４のＸ方向の両端に第２ダミー領域４６をそれぞれ追加している。しかし、領域設定部１１は、対象画像４０のうち外接矩形４３に囲まれた矩形画像４４のＸ方向の一方端のみに第２ダミー領域４６を追加してもよい。この場合、第２ダミー領域４６のＸ方向長Ｃは、次式（７）で表される。
Ｃ＝｛（Ｂ・Ｅ／Ｆ）−Ａ｝    ……（７）
【００４２】
次に、この発明の第２実施形態に係る表示用画像生成装置について説明する。第２実施形態に係る表示用画像生成装置１の全体構成は、図１に示す表示用画像生成装置１と同様である。第２実施形態に係る表示用画像生成装置１は、第１実施形態に係る表示用画像生成装置１と同様に、主画像を含む対象画像と地図画像とを合成し、合成画像のうち主画像を含む所定領域を、基準矩形の大きさの画像に変換することにより、表示用画像（表示用画像データ）を生成する。
【００４３】
第２実施形態に係る表示用画像生成装置１と、第２実施形態に係る表示用画像生成装置１では、ハードディスク８に格納されている表示用画像生成プログラムが異なっている。第２実施形態に係る表示用画像生成装置１においても、ハードディスク８には、図３の対象画像４０に対応した対象画像データおよび図４の地図画像５０に対応した地図画像データが格納されているものとする。
【００４４】
図１１は、ＰＣ２の機能を説明するための機能ブロック図である。
ＰＣ２は、機能処理部として、合成部２１と、変換部２２とを含む。
合成部２１は、対象画像データを展開することに得られる第１ＸＹ座標系の対象画像４０（図３参照）と、地図画像データを展開することに得られる第２ＸＹ座標系の地図画像５０（図４参照）とを合成する。
【００４５】
変換部２２は、合成画像のうちの所定領域を、第１ＸＹ座標系のＸ軸に平行な２辺とＹ軸に平行な２辺とを有し、Ｘ方向長およびＹ方向長がそれぞれ所定のＸ方向基準長Ｅおよび所定のＹ方向基準長Ｆである基準矩形の大きさの画像に変換する。
以下、合成部２１および変換部２２の動作の詳細について説明する。
図１２は、表示用画像生成プログラムが起動されたときに、ＰＣ２によって実行される処理の手順を示すフローチャートである。
【００４６】
表示用画像生成プログラムが起動されると、合成部２１は、図１３に示すように、第１ＸＹ座標系のＸ軸に平行な２辺とＹ軸に平行な２辺とを有しかつ主画像６１に外接する外接矩形４３の一組の対頂点各々に対応する位置の情報（座標値）を取得するとともに、外接矩形４３のＸ方向長ＡおよびＹ方向長Ｂを取得する（ステップＳ１１）。
第１ＸＹ座標において、主画像４１におけるＸ座標最小値、Ｘ座標最大値、Ｙ座標最小値およびＹ座標最大値を、それぞれｘmin、ｘmax、ｙminおよびｙmaxとすると、外接矩形４３は、点ａ（ｘmin，ｙmin）と、点ｂ（ｘmin，ｙmax）と、点ｃ（ｘmax，ｙmax ）と、点ｄ（ｘmax，ｙmin）とを頂点とする矩形となる。したがって、点ａと点ｃとが１方の組の対頂点となるとともに、点ｂと点ｄとが他方の組の対頂点となる。そこで、合成部２１は、これら二組の対頂点のうちいずれか一方の組の対頂点各々に対応する位置の情報（座標値）を取得する。
また、合成部２１は、前述した式（２），（３）に基づいて、外接矩形４３のＸ方向長ＡおよびＹ方向長Ｂを算出する。
【００４７】
図１３において、二点鎖線６０は、基準矩形を示している。
次に、合成部２１は、対象画像４０のうち外接矩形４３に囲まれた矩形画像４４と、地図画像５０とを合成する（ステップＳ１２）。この実施形態では、合成部２１は、ステップＳ１１で位置の情報が取得されている、外接矩形４３の一組の対頂点各々と、地図画像５０における前記対頂点各々に対応する位置とが一致するように、地図画像５０を拡大縮小させた後に、矩形画像４４を地図画像５０に貼り付ける。
【００４８】
図１４は、拡大縮小後の地図画像５０に矩形画像４４が貼り付けられた状態を示す模式図である。図１４において、二点鎖線で囲まれた領域が、矩形画像４４が貼り付けられた貼付領域７０である。貼付領域７０内の主画像４１に対応する領域７１には主画像４１が現れ、貼付領域７０内の領域７１以外の領域７２（背景画像４２に対応する領域）には地図画像が現れる。
【００４９】
次に、変換部２２は、外接矩形４３のＸ方向長Ａに対する基準矩形６０のＸ方向基準長Ｅの比である第１の比Ｅ／Ａと、外接矩形４３のＹ方向長Ｂに対する基準矩形６０のＹ方向基準長Ｆの比である第２の比Ｆ／Ｂとを比較する（ステップＳ１３）。なお、第１の比Ｅ／ＡとしてＢ／Ａを用いかつ第２の比としてＦ／Ｅを用いてもよい。
第１の比Ｅ／Ａが第２の比Ｆ／Ｂよりも小さい場合には、変換部２２は、図１４に示すように、貼付領域７０のＹ方向の両端に第１ダミー領域７３をそれぞれ追加することにより、表示対象領域７５を設定する（ステップＳ１４）。
【００５０】
各第１ダミー領域７３は、貼付領域７０のＹ方向両端の端辺全体からＹ方向外方に向かってＹ方向長Ｄだけ突出した矩形である。各第１ダミー領域７３のＹ方向長Ｄは、前記式（４）で表される。表示対象領域７５は、貼付領域７０と両第１ダミー領域７３とからなる領域である。
ステップＳ１３において、第１の比Ｅ／Ａが第２の比Ｆ／Ｂよりも大きいと判別された場合には、変換部２２は、貼付領域のＸ方向端の両側に第２ダミー領域（図示略）をそれぞれ追加することにより、表示対象領域を設定する（ステップＳ１５）。
【００５１】
各第２ダミー領域は、貼付領域のＸ方向両端の端辺全体からＸ方向外方に向かって方向長Ｃだけ突出した矩形である。各第２ダミー領域のＸ方向長Ｃは、前記式（５）で表される。表示対象領域は、貼付領域と両第２ダミー領域とからなる領域である。
前記ステップＳ１３において、第１の比Ｅ／Ａが第２の比Ｆ／Ｂに等しいと判別された場合には、変換部２２は、貼付領域を表示対象領域として設定する（ステップＳ１６）。
【００５２】
ステップＳ１４、Ｓ１５またはＳ１６の処理が終了すると、変換部２２は、表示対象領域を拡大縮小することにより、基準矩形６０の大きさの表示用画像を生成する（ステップＳ１７）。
具体的には、ステップＳ１４の処理によって表示対象領域７５が設定されている場合には、表示対象領域７５を、Ｅ／Ａ倍することにより、基準矩形６０の大きさの表示用画像を生成する（ステップＳ１６）。このようにして生成される表示用画像内の主画像４１に対応する領域を、図１３に一点鎖線８１で示す。なお、表示用画像全体の輪郭は、基準矩形６０の輪郭と同じである。表示用画像内の主画像４１の領域８１以外の領域には、地図画像が表示される。
【００５３】
ステップＳ１５の処理によって表示対象領域が設定されている場合には、表示対象領域を、Ｆ／Ｂ倍することにより、基準矩形６０の大きさの表示用画像を生成する。
ステップＳ１６の処理によって表示対象領域が設定されている場合には、表示対象領域（貼付領域）を、Ｅ／Ａ倍（またはＦ／Ｂ倍）することにより、基準矩形６０の大きさの表示用画像を生成する。
【００５４】
ステップＳ１７の処理が終了すると、変換部２２は、生成された表示用画像の画像データを、対象画像４０に対する表示用画像データとしてハードディスク８に記憶する（ステップＳ１８）。これにより、対象画像４０に対応する表示用画像をディスプレイに表示したり、記録紙に印刷したりすることが可能となる。
前述の第２実施形態においても、第１実施形態と同様な効果が得られる。
【００５５】
第２実施形態のステップＳ１４では、変換部２２は、貼付領域７０のＹ方向の両端に第１ダミー領域７３をそれぞれ追加している。しかし、変換部２２は、貼付領域７０のＹ方向の一方端のみに第１ダミー領域を追加してもよい。この場合、第１ダミー領域７３のＹ方向長Ｄは、前記式（６）で表される。
第２実施形態のステップＳ１５では、変換部２２は、貼付領域のＸ方向の両端に第２ダミー領域をそれぞれ追加している。しかし、変換部２２は、貼付領域のＸ方向の一端のみに第２ダミー領域を追加してもよい。この場合、第２ダミー領域のＸ方向長Ｃは、前記式（７）で表される。
【００５６】
次に、この発明の第３実施形態に係る表示用画像生成装置について説明する。第３実施形態に係る表示用画像生成装置１の全体構成は、図１に示す表示用画像生成装置１と同様である。第３実施形態に係る表示用画像生成装置１と、第１実施形態に係る表示用画像生成装置１では、ハードディスク８に格納されている表示用画像生成プログラムが異なっている。
【００５７】
第３実施形態に係る表示用画像生成装置１は、主画像を含む対象画像から、基準矩形の大きさの表示用画像を生成する。ハードディスク８には、図３の対象画像４０に対応した対象画像データが格納されているものとする。第３実施形態においては、対象画像４０の背景画像は、透明であってもよいし、不透明であってもよい。対象画像４０の背景画像は、例えば、白であってもよい。
【００５８】
図１５は、ＰＣ２の機能を説明するための機能ブロック図である。
ＰＣ２は、機能処理部として、比較部３１と画像生成部３２とを含む。
以下、比較部３１および画像生成部３２の動作の詳細について説明する。
図１６は、表示用画像生成プログラムが起動されたときに、ＰＣ２によって実行される処理の手順を示すフローチャートである。
【００５９】
表示用画像生成プログラムが起動されると、比較部３１は、図７に示すように、第１ＸＹ座標系のＸ軸に平行な２辺とＹ軸に平行な２辺とを有しかつ主画像４１に外接する外接矩形４３のＸ方向長ＡおよびＹ方向長Ｂを取得する（ステップＳ３１）。この処理は、図６のステップＳ１において領域設定部１１が行う処理と同様であるのでその説明を省略する。なお、図７において、二点鎖線６０は、基準矩形の大きさを表している。
【００６０】
次に、比較部３１は、外接矩形４３のＸ方向長Ａに対する基準矩形６０のＸ方向基準長Ｅの比（第１の比Ｅ／Ａ）と、外接矩形４３のＹ方向長Ｂに対する基準矩形６０のＹ方向基準長Ｆの比（第２の比Ｆ／Ｂ）とを比較する（ステップＳ３２）。なお、第１の比Ｅ／ＡとしてＢ／Ａを用いかつ第２の比としてＦ／Ｅを用いてもよい。
第１の比Ｅ／Ａが第２の比Ｆ／Ｂよりも小さい場合には、画像生成部３２は、図７に示すように、対象画像４０のうち外接矩形４３に囲まれた矩形画像４４のＹ方向の両端に第１ダミー領域４５をそれぞれ追加し、矩形画像４４と両第１ダミー領域４５とからなる領域を表示対象領域４７として設定する（ステップＳ３３）。
【００６１】
各第１ダミー領域４５は、矩形画像４４のＹ方向両端の端辺全体からＹ方向外方に向かってＹ方向長Ｄだけ突出した矩形である。各第１ダミー領域４５のＹ方向長Ｄは、前記式（４）で表される。
前記ステップＳ２において、第１の比Ｅ／Ａが第２の比Ｆ／Ｂよりも大きいと判別された場合には、画像生成部３２は、対象画像４０のうち外接矩形４３に囲まれた矩形画像４４のＸ方向の両端に第２ダミー領域をそれぞれ追加し、矩形画像４４と両第２ダミー領域とからなる領域を表示対象領域として設定する（ステップＳ３４）。
【００６２】
例えば、対象画像４０が図８に示すような画像である場合には、第１の比Ｅ／Ａが第２の比Ｆ／Ｂよりも大きいと判別される。このような場合には、各第２ダミー領域は、図８に４６で示される領域となる。つまり、各第２ダミー領域４６は、矩形画像４４の各Ｘ方向両端の端辺全体からＸ方向外方に向かってＸ方向長Ｃだけ突出した矩形である。各第２ダミー領域４６のＸ方向長Ｃは、前記式（５）で表される。この場合には、矩形画像４４と両第２ダミー領域４６とからなる領域が、表示対象領域４７として設定される。
【００６３】
前記ステップＳ３２において、第１の比Ｅ／Ａが第２の比Ｆ／Ｂと等しいと判別された場合には、画像生成部３２は、対象画像４０のうち外接矩形４３に囲まれた矩形画像４４を、表示対象領域４７として設定する（ステップＳ３５）。
例えば、対象画像４０が図９に示すような画像である場合には、第１の比Ｅ／Ａが第２の比Ｆ／Ｂと等しい判別される。この場合には、矩形画像４４が表示対象領域４７として設定される。
【００６４】
ステップＳ３３、Ｓ３４またはＳ３５の処理が終了すると、画像生成部３２は、表示対象領域４７を拡大縮小することにより、基準矩形６０の大きさの表示用画像を生成する（ステップＳ３６）。
具体的には、ステップＳ３３の処理によって表示対象領域４７が設定されている場合には、表示対象領域４７の縦横をＥ／Ａ倍することによって、表示用画像を生成する。このようにして生成される表示用画像内の主画像４１に対応する領域を、図７に一点鎖線８１で示す。なお、表示用画像全体の輪郭は、基準矩形６０の輪郭と同じである。
【００６５】
ステップＳ３４の処理によって表示対象領域４７が設定されている場合には、画像生成部３２は、表示対象領域４７の縦横をＦ／Ｂ倍することによって、表示用画像を生成する。このようにして生成される表示用画像内の主画像４１に対応する領域を、図８に一点鎖線８１で示す。なお、表示用画像全体の輪郭は、基準矩形６０の輪郭と同じである。
ステップＳ３５の処理によって表示対象領域４７が設定されている場合には、画像生成部３２は、表示対象領域４７（矩形画像４４）の縦横をＥ／Ａ倍（またはＦ／Ｂ倍）することによって、表示用画像を生成する。このようにして生成される表示用画像内の主画像４１に対応する領域を、図９に一点鎖線８１で示す。なお、表示用画像全体の輪郭は、基準矩形６０の輪郭と同じである。
【００６６】
ステップＳ３６の処理が終了すると、画像生成部３２は、生成された表示用画像の画像データを、対象画像４０に対する表示用画像データとしてハードディスク８に記憶する（ステップＳ３７）。これにより、対象画像４０に対応する表示用画像をディスプレイに表示したり、記録紙に印刷したりすることが可能となる。
前述の第３実施形態によれば、対象画像４０における主画像を含む所定領域を、所定の大きさの基準矩形６０内に主画像４１ができるだけ大きく現れるように表示することが可能となる表示用画像データを生成できる。
【００６７】
第３実施形態のステップＳ３３では、画像生成部３２は、矩形画像４４のＹ方向の両端に第１ダミー領域４５をそれぞれ追加している。しかし、画像生成部３２は、矩形画像４４のＹ方向の一端のみに第１ダミー領域４５を追加してもよい。この場合、第１ダミー領域４５のＹ方向長Ｄは、前記式（６）で表される。
第３実施形態のステップＳ３４では、画像生成部３２は、矩形画像４４のＸ方向の両端に第２ダミー領域をそれぞれ追加している。しかし、画像生成部３２は、矩形画像４４のＸ方向端の一方側のみに第２ダミー領域を追加してもよい。この場合、第２ダミー領域のＸ方向長Ｃは、前記式（７）で表される。
【００６８】
以上、この発明の実施形態について説明したが、この発明はさらに他の形態で実施することもできる。例えば、前述の実施形態では、対象画像内の主画像は、圃場等の解析対象領域内の小領域毎のＮＤＶＩを表す画像データから構成されている。しかしながら、主画像は、解析対象領域内の小領域毎のＮＤＶＩ以外の解析結果を表す画像データから構成されていてもよい。ＮＤＶＩ以外の解析結果としては、例えば、植被率、施肥すべき施肥量等であってもよい。
【００６９】
その他、特許請求の範囲に記載された事項の範囲で種々の設計変更を施すことが可能である。
【符号の説明】
【００７０】
１  表示用画像生成装置
２  パーソナルコンピュータ（ＰＣ）
６  ＣＰＵ
７  メモリ
８  ハードディスク
１１  領域設定部
１２  合成部
１３  変換部
２１  合成部
２２  変換部
３１  比較部
３２  画像生成部
４０  対象画像
４１  主画像
４２  背景画像
４３  外接矩形
４４  矩形画像
４５，７３  第１ダミー領域
４６  第２ダミー領域
４７  表示対象領域
５０  地図画像
６０  基準矩形
７０  貼付領域
７１  貼付領域内の主画像に対応する領域
７５  表示対象領域
【図１】
2019207375.tif 000003
【図２】
2019207375.tif 000004
【図３】
2019207375.tif 000005
【図４】
2019207375.tif 000006
【図５】
2019207375.tif 000007
【図６】
2019207375.tif 000008
【図７】
2019207375.tif 000009
【図８】
2019207375.tif 000010
【図９】
2019207375.tif 000011
【図１０】
2019207375.tif 000012
【図１１】
2019207375.tif 000013
【図１２】
2019207375.tif 000014
【図１３】
2019207375.tif 000015
【図１４】
2019207375.tif 000016
【図１５】
2019207375.tif 000017
【図１６】
2019207375.tif 000018